(57)【要約】      （修正有）【課題】航空機に関し、搭乗者が座席を離れ、その席に戻る時に、容易に戻れるように案内する。【解決手段】搭乗者２２６が座席２２２を離れるとき、プラットフォームキャビン２０５内に位置決めされ作動時に搭乗者２２６の座席２２２に関する座席位置２１２の表示２１０を生成するように構成されたインジケータ２０４と、前記インジケータ２０４を作動させるように構成されたコントローラ２０２を備える座席位置特定システム２００。【選択図】図２
2014175011.tif 000002
【特許請求の範囲】
【請求項１】
プラットフォームキャビン（２０５）内に位置決めされ作動時に座席（２１５）に関する座席位置（２１２）の表示（２１０）を生成するように構成されたインジケータ（２０４）と、
前記インジケータを作動させるように構成されたコントローラ（２０２）と
を備える座席位置特定システム（２００）。
【請求項２】
搭乗者（２１４）が前記座席（２１５）を離れると、前記コントローラ（２０２）が前記インジケータ（２０４）を作動させる、請求項１に記載の座席位置特定システム（２００）。
【請求項３】
前記インジケータ（２０４）が、前記座席（２１５）または座席の列（２１６）のうちの少なくとも１つと関連付けられている、請求項１または２に記載の座席位置特定システム（２００）。
【請求項４】
前記インジケータ（２０４）が、前記プラットフォームキャビン（２０５）の床上にサイン（４１９、４２２）をディスプレイするように構成されている、請求項１から３のいずれか一項に記載の座席位置特定システム（２００）。
【請求項５】
前記サイン（４１９、４２２）が、前記座席（２１５）に割り当てられた搭乗者（２１４）に関する一意の識別子であり、前記一意の識別子が、列番号、光、着色光、名前、動物、街、または休暇中の所在地のうちの少なくとも１つを含む、請求項４に記載の座席位置特定システム（２００）。
【請求項６】
前記インジケータ（２０４）が前記座席（２１５）と関連付けられている、請求項１から５のいずれか一項に記載の座席位置特定システム（２００）。
【請求項７】
前記座席（２１５）の前記表示（２１０）が、前記プラットフォームキャビン（２０５）内の別のインジケータによって生成される別の表示とは異なる、請求項１から６のいずれか一項に記載の座席位置特定システム（２００）。
【請求項８】
前記インジケータ（２０４）が、白熱ライト、発光ダイオード、光投影機、表示画面、デジタルサイン、電子ペーパ、または電子インクのうちの少なくとも１つから選択される、請求項１から７のいずれか一項に記載の座席位置特定システム（２００）。
【請求項９】
前記コントローラ（２０２）が、前記座席（２１５）と関連付けられたスイッチ（３１６）またはセンサシステム（４０４）のうちの少なくとも１つから選択される、請求項１から８のいずれか一項に記載の座席位置特定システム（２００）。
【請求項１０】
前記座席（２１５）が、前記プラットフォームキャビン（２０５）内の座席の列（２１６）に含まれ、前記座席位置特定システムがさらに、前記座席の前記列と関連付けられた複数の前記インジケータ（２０４）を備え、前記インジケータのうちのあるインジケータが、搭乗者（２１４）が座席を離れることで作動するときに、前記プラットフォームキャビン内の前記座席の列の前記座席に関する前記座席位置（２１２）を表示するように構成されている、請求項１から９のいずれか一項に記載の座席位置特定システム（２００）。
【請求項１１】
前記インジケータ（２０４）が、前記プラットフォームキャビン（２０５）の床（８１２）上にサイン（８１０）を投影するように構成されている、請求項１から１０のいずれか一項に記載の座席位置特定システム（２００）。
【請求項１２】
前記座席位置特定システムが、航空機、水上艦、宇宙船、列車、バス、可動プラットフォーム、静止プラットフォーム、陸上構造物、水上構造物、宇宙構造物、映画館、講堂、スタジアム、および建築物のうちの１つから選択されるプラットフォーム内に配置される、請求項１から１１のいずれか一項に記載の座席位置特定システム（２００）。
【発明の詳細な説明】
【技術分野】
【０００１】
本開示は、概して、航空機に関し、詳細には、航空機の客室に関する。さらに詳細には、本開示は、航空機の客室内の座席位置を表示する方法および装置に関する。
【背景技術】
【０００２】
航空機の客室は列内に配設された座席を有する。それら列は航空機の一側面から他側面に延在する。さらに、１つまたは複数の通路が航空機の長さに沿って延在することもある。
【０００３】
搭乗者は座席に割り当てられている。航空機の飛行中に、搭乗者が様々な理由で座席を離れることがある。例えば、搭乗者が、別の座席にいる搭乗者のところに行って話をするために座席を離れることがある。他の例では、搭乗者が化粧室に行くために座席を離れることがある。他の事例では、搭乗者が長距離飛行中にストレッチを行うために通路に沿って歩く必要がある場合がある。
【０００４】
搭乗者が座席を離れ、その座席に戻るときは、座席の位置特定は望んでいるよりも難しいことがある。搭乗者が間違った座席に戻った場合、別の搭乗者がその座席に戻ったときに間違った座席に座っているとばつが悪いことがある。さらに、座席を見つけるのが難しいと迷子になっているように思われることもあり、それはその搭乗者にとって恥ずかしい場合がある。
【０００５】
例えば、搭乗者が列番号を見ることができる。しかし、搭乗者は着席後に列番号を覚えていないことがある。さらに、飛行中に何度か薄暗い環境になる場合がある。こうした薄暗い環境により、列番号に関するラベルを読んで正しい座席を見つけることがさらに難しくなる場合がある。
【０００６】
別の例では、座席を位置特定するために搭乗者が目印を用いることができる。その目印には、例えば、座席にいる他の搭乗者の顔または目鼻立ちが含まれることがある。しかし、このプロセスは、その搭乗者が座席に戻るときに搭乗者の後頭部が見えるときは有用でない場合がある。
【０００７】
したがって、上記で論じた課題の少なくとも一部と、同様に他の可能性のある課題とを考慮に入れた方法および装置を有することが望ましい。
【発明の概要】
【０００８】
本開示の例示的な実施形態は、インジケータおよびコントローラを備えた装置を提供する。インジケータは、客室内に位置決めされ作動時に座席に関する座席位置の表示を生成するように構成されている。コントローラは、インジケータを作動させるように構成されている。
【０００９】
別の例示的な実施形態は座席位置特定システムを備える。座席位置特定システムは、プラットフォームキャビン内の座席の列およびインジケータを備える。インジケータは座席の列と関連付けられている。インジケータのうちのあるインジケータは、搭乗者が座席を離れることで作動するときにプラットフォームキャビン内の座席の列にある座席に関する座席位置を表示するように構成されている。
【００１０】
さらに別の例示的な実施形態は座席位置を表示する方法を提供する。インジケータが、搭乗者が座席を離れるときに客室内の座席に関して作動する。インジケータは作動時に座席の位置を表示する。
【００１１】
特徴および機能は、本開示の様々な実施形態において独立に実現することもでき、以下の説明および図面を参照してさらなる詳細を見ることができるさらに他の実施形態で組み合わせることができる。
【図面の簡単な説明】
【００１２】
例示的な実施形態の特性と考えられる新規の特徴は添付の特許請求の範囲に記載されている。しかし、例示的な実施形態、ならびに好適な使用モード、そのさらなる目的および特徴は、添付の図面と併せて読むときに本開示の例示的な実施形態の以下の詳細な説明を参照することによって最も良く理解されるであろう。
【００１３】
【図１】例示的な実施形態による航空機の説明図である。
【図２】例示的な実施形態による、ブロック線図の形態の、座席位置特定システムの説明図である。
【図３】例示的な実施形態による、ブロック線図の形態の、座席位置特定システムのより詳細な説明図である。
【図４】例示的な実施形態による、ブロック線図の形態の、座席位置の別の説明図である。
【図５】例示的な実施形態による座席位置特定システムを有する客室の説明図である。
【図６】例示的な実施形態による座席位置特定システムを有する客室の別の説明図である。
【図７】例示的な実施形態による座席位置特定システムを有する客室の別の視界の説明図である。
【図８】例示的な実施形態による座席位置特定システムを有する客室の別の視界の説明図である。
【図９】例示的な実施形態による座席位置を表示するためのプロセスのフローチャートの説明図である。
【図１０】例示的な実施形態による航空機の製造およびサービス方法の説明図である。
【図１１】例示的な実施形態を実装できる、ブロック線図の形態の、航空機の説明図である。
【発明を実施するための形態】
【００１４】
例示的な実施形態は、１つまたは複数の異なる解釈を認識しそれを考慮に入れている。例えば、例示的な実施形態は、搭乗者にとってしばしば有意の要因である利便性を認識しそれを考慮に入れている。飛行中の利便性のレベルは、搭乗者が別の機会に再度同じ航空会社を利用する確率に影響を及ぼす。
【００１５】
以下の例示的な実施形態は、座席に戻るときに搭乗者が自分に割り当てられた座席を見つける能力を向上させる方法および装置を提供する。
【００１６】
次に図を参照すると、具体的には図１を参照すると、例示的な実施形態による航空機の説明図が示されている。この説明的な例では、航空機１００は、胴体１０６に取り付けられた翼１０２および翼１０４を有する。航空機１００は、翼１０２に取り付けられたエンジン１０８および翼１０４に取り付けられたエンジン１１０を含む。
【００１７】
胴体１０６は機首部１１２および尾部１１４を有する。胴体１０６の尾部１１４には水平安定板１１６、水平安定板１１８、および垂直安定板１２０が取り付けられている。
【００１８】
理解できるように、この説明的な例では、航空機１００の胴体１０６内には客室１２２が配置されている。座席１２４は、航空機１００のこの切欠図では客室１２２内に配置されている。
【００１９】
これら説明的な例では、座席位置特定システム１２６を航空機１００内に実装することができる。具体的には、座席位置特定システム１２６を客室１２２内に実装することができる。座席位置特定システム１２６は搭乗者のための座席位置の表示を提供することができる。座席位置の表示は、搭乗者に割り当てられた座席に搭乗者が戻っているときに提供することができる。
【００２０】
次に図２を参照すると、例示的な実施形態による、ブロック線図の形態の座席位置特定システムの説明図が示されている。座席位置特定システム２００は、図１の航空機１００に用いられる座席位置特定システム１２６の一例である。
【００２１】
説明的な例では、座席位置特定システム２００はいくつかの異なる構成要素を含む。図示のように、座席位置特定システム２００はコントローラ２０２およびインジケータ２０４を含む。
【００２２】
インジケータ２０４は、これら説明的な例ではハードウェアデバイスである。インジケータ２０４はプラットフォームキャビン２０５内に位置決めされている。この例では、プラットフォームキャビン２０５は客室２０６の形態をとる。インジケータ２０４は、説明的な例では、表示２１０を視覚的に生成するように構成されている。インジケータ２０４の配置は、搭乗者２１４のための座席位置２１２の表示２１０をインジケータ２０４によって生成できるようになっている。
【００２３】
説明的な一例では、座席２１５は列２１６内に配設することができる。インジケータ２０４を座席２１５の列２１６と関連付けることができる。
【００２４】
ある構成要素が別の構成要素と「関連付けられる（ａｓｓｏｃｉａｔｅｄ）」ときは、その関連付けは図示の例では物理的な関連付けである。例えば、第１の構成要素であるインジケータ２０４は、第２の構成要素に固定し、第２の構成要素に接着し、第２の構成要素に搭載し、第２の構成要素に溶接し、第２の構成要素に締結し、かつ／または何らかの他の適切な様式で第２の構成要素に接続することによって、第２の構成要素である座席２１５の列２１６と関連付けられていると解釈することができる。第１の構成要素は、第３の構成要素を用いて第２の構成要素に接続することもできる。第１の構成要素は、第２の構成要素の一部分および／または延長部分として形成されることによって、第２の構成要素と関連付けられていると解釈することができる。
【００２５】
説明的な一例では、インジケータ２０４のうちのインジケータ２１８は、客室２０６内の列２１６の列２２４にある座席２１５のうちの座席２２２に関する座席位置２２０を表示するように構成されている。インジケータ２１８は、搭乗者２１４のうちの搭乗者２２６が座席２２２を離れることで作動するときにその表示を提供することができる。インジケータ２１８の作動は、搭乗者２２６が座席２２２を離れるときに自動的に、搭乗者２２６によって、または何らかのそれらの組み合わせによって実行することができる。
【００２６】
インジケータ２１８は様々な形態をとることができる。例えば、インジケータ２１８は、白熱ライト、発光ダイオード、光投影機、表示画面、デジタルサイン、電子ペーパ、電子インク、または他の適切なタイプのデバイスのうちの少なくとも１つから選択することができる。
【００２７】
図示のように、コントローラ２０２は、インジケータ２０４の作動および停止を制御して搭乗者２１４のための座席位置２１２の表示２１０を生成するように構成されている。コントローラ２０２は、特定の実装形態に応じてハードウェア、ソフトウェア、ファームウェア、またはそれらの何らかの組み合わせとしてよい。ソフトウェアが用いられるときは、座席位置特定システム２００によって実行される動作は、処理装置で動くように構成されたプログラムコードに実装することができる。ファームウェアが用いられるときは、座席位置特定システム２００によって実行される動作は、処理装置で動くように永続メモリに格納されたプログラムコードおよびデータに実装することができる。ハードウェアが採用されるときは、そのハードウェアは、座席位置特定システム２００の動作を実行するように動作する回路を含むことができる。
【００２８】
その説明的な例では、ハードウェアは、回路システム、集積回路、特定用途向け集積回路（ＡＳＩＣ）、プログラマブルロジックデバイス、またはいくつかの動作を実行するように構成された何らかの他の適切なタイプのハードウェアの形態をとることができる。プログラマブルロジックデバイスの場合は、そのデバイスはいくつかの動作を実行するように構成されている。そのデバイスは、それらいくつかの動作を実行するように、後から再構成されてもよく、永続的に構成されてもよい。プログラマブルロジックデバイスの例には、例えば、プログラマブルロジックアレイ、プログラマブルアレイロジック、フィールドプログラマブルロジックアレイ、フィールドプログラマブルゲートアレイ、および他の適切なハードウェアデバイスが含まれる。さらに、プロセスは、無機成分と一体化した有機成分に実装することができ、かつ／または人間を除く有機成分から全体を構成することができる。例えば、そのプロセスは有機半導体の回路として実装することができる。
【００２９】
図示のように、コントローラ２０２は、スイッチ、センサシステム、処理装置、コンピュータ、特定用途向け集積回路、または他の適切な構成要素のうちの少なくとも１つから構成することができる。例えば、コントローラ２０２がスイッチを含むときは、スイッチは、搭乗者によって、回路で制御することによって、コンピュータで制御することによって、または何らかの他のデバイスで制御することによって動作可能なスイッチでよい。別の例として、センサシステムは、座席と関連付けられた圧力センサを備えることができる。圧力センサは、搭乗者が座席を離れたときにそのことを判定するために使用されるデータを生成することができる。言い換えると、圧力センサは、搭乗者が座席を離れるときにそのことを検出するために使用することができる。
【００３０】
コントローラ２０２の複雑さは特定の実装形態に応じて変わってよい。例えば、コントローラ２０２は、インジケータ２０４のうちのあるインジケータを作動させるために搭乗者によって作動するスイッチしか含まなくてよい。他の例では、コントローラ２０２は、インジケータ２０４を作動させるのに用いられるコンピュータシステム、スイッチ、およびセンサを含むことができる。
【００３１】
図２の座席位置特定システム２００の説明図は、例示的な実施形態を実装できる様式に対して物理的なまたは建築上の限定を含意することを意味していない。例示の構成要素に加えてまたはその代わりに他の構成要素を用いることができる。一部の構成要素は不要なことがある。さらに、ブロックは、いくつかの機能上の構成要素を例示するために示している。例示的な実施形態に実装するときは、これらのブロックのうちの１つまたは複数を組み合わせるか、分割するか、または組み合わせかつ分割して、他のブロックにすることができる。
【００３２】
例えば、座席位置特定システム２００を航空機の客室に関して説明してきたが、座席位置特定システム２００は、客室を有することができる他のタイプの輸送手段で使用することができる。例えば、座席位置特定システム２００は、水上艦、宇宙船、列車、バス、および他の適切なタイプの輸送手段のうちの１つから選択された輸送手段に配置された客室内で使用することができる。さらに他の説明的な例では、座席位置特定システム２００は、プラットフォームキャビン２０５が図１の航空機１００などの輸送手段用の客室２０６とは異なる形態をとることができる他のプラットフォーム内で使用することができる。例えば、座席位置特定システム２００は、可動プラットフォーム、静止プラットフォーム、陸上構造物、水上構造物、および宇宙構造物のうちの１つから選択されたプラットフォーム用のプラットフォームキャビン２０５内に実装することができる。より詳細には、プラットフォームは映画館、講堂、建築物、スタジアム、および他の適切なプラットフォームでよい。プラットフォームキャビン２０５は、座席が存在できるプラットフォーム内のある領域とすることができる。
【００３３】
次に図３を参照すると、例示的な実施形態による座席位置特定システムのより詳細な説明図が示されている。この説明的な例では、座席位置特定システム３００は、図２の座席位置特定システム２００に関する一実装形態の一例である。
【００３４】
この説明的な例では、座席位置特定システム３００はスイッチ３０２およびライト３０４を備える。スイッチ３０２は、図２のコントローラ２０２を実装するために使用できる構成要素の一例である。ライト３０４は、図２のインジケータ２０４を実装するために使用できるデバイスの一例である。
【００３５】
スイッチ３０２はライト３０４に電気接続されている。ライト３０４は座席３０８の列３０６と関連付けられている。
【００３６】
例えば、ライト３０４のうちのライト３１０は、列３０６のうちの列３１２と関連付けられている。この説明的な例では、ライト３１０はいくつかの異なる形態をとることができる。例えば、ライト３１０は、白熱ライト、発光ダイオード、または何らかの他の適切なタイプの、光を生成するデバイスでよい。この説明的な例では、ライト３１０は、ライト３１０が作動して光を生成するときに搭乗者が列３１２を見つけることができるように、列３１２に対して位置決めされている。
【００３７】
図示のように、スイッチ３１６は、ライト３１０を作動および停止させるように構成されている。スイッチ３１６は、この説明的な例では、列３１２の搭乗者が操作できる物理的スイッチである。したがって、搭乗者は、座席３０８の列３１２を離れるときにライト３１０を作動させることができる。言い換えると、ライト３１０は、スイッチ３１６のポジションを変更することによって作動することができる。ライト３１０は、ライト３１０がスイッチ３１６を用いることで作動するときに搭乗者のための列３１２内の座席３２２に関する座席位置３２０の表示３１８を生成するように位置決めされている。この説明的な例では、ライト３１０は、他の搭乗者のための列３１２内の他の座席３０８の位置に関する表示を提供することもできる。
【００３８】
次に図４に移ると、例示的な実施形態による座席位置特定システムの別の説明図が示されている。この説明的な例では、座席位置特定システム４００は、図２の座席位置特定システム２００の別の実装形態の一例である。
【００３９】
図示のように、座席位置特定システム４００はサインコントローラ４０２およびセンサシステム４０４を含む。これら構成要素は、図２のコントローラ２０２を実装するために使用できる構成要素の一例である。座席位置特定システム４００はまた光投影機４０６も含む。光投影機４０６は、図２のインジケータ２０４を実装するために使用できる構成要素の一例である。
【００４０】
この説明的な例では、１つまたは複数のコンピュータを用いてサインコントローラ４０２を実装することができる。２以上のコンピュータが存在するときは、それらコンピュータは、ネットワークなどの通信媒体を介して互いに通信することができる。この例では、サインコントローラ４０２はセンサシステム４０４と通信している。センサシステム４０４はこの特定の例では圧力検出器４０８から構成されている。
【００４１】
圧力検出器４０８は、列４１２内に配設された座席４１０と関連付けられている。説明的な例では、圧力検出器がそれぞれの座席と関連付けられている。例えば、圧力検出器４１４は、列４１２の列４１８内の座席４１０の座席４１６と関連付けられている。このようにして、圧力検出器４０８は、搭乗者が座席４１０のうちの座席４１６を離れたかどうかを判定するために使用できる情報を生成することができる。その情報はサインコントローラ４０２に送信される。
【００４２】
光投影機４０６を座席４１０と関連付けることができる。具体的には、光投影機４０６を座席４１０の列４１２と関連付けることができる。一部の説明的な例では、光投影機４０６は、座席４１０の列４１２と関連付けられなくてよい。その代わりに、光投影機４０６を他の位置に位置決めすることができる。光投影機４０６に関する他の配置の例には、床上、荷物置き場、背もたれ、天井のライトの近く、または他の適切な位置のうちの少なくとも１つが含まれる。配置は、座席４１０の列４１２内の特定の列を表示する様式で光投影機４０６によってサイン４１９をディスプレイできるように選択することができる。
【００４３】
サインコントローラ４０２は光投影機４０６を作動させるように構成されている。サインコントローラ４０２により、光投影機４０６がサイン４１９をディスプレイすることができる。それらサインは、座席位置特定システム４００によって生成できる座席位置の表示の一例である。サイン４１９は、座席４１０に割り当てられた搭乗者に関する一意の識別子でよい。
【００４４】
説明的な例では、光投影機４０６のうちの光投影機４２０は列４１８と関連付けられている。具体的には、サインコントローラ４０２により、光投影機４２０がサイン４１９のうちのサイン４２２をディスプレイすることができる。サイン４２２は、サインコントローラ４０２から光投影機４２０に送信もでき、光投影機４２０にローカルに格納することもできる。サイン４２２が光投影機４２０にローカルに格納されるときは、サイン４２２を他のサインと一緒に格納することができ、サインコントローラ４０２によって選択することができる。
【００４５】
この説明的な例では、サイン４２２を様々な位置にディスプレイすることができる。例えば、列４１８の近くの通路、天井、または何らかの他の適切な位置のうちの少なくとも１つにサイン４２２をディスプレイすることができる。
【００４６】
サイン４２２は様々な形態をとることができる。説明的な一例では、サイン４２２は、光投影機４２０から投影された光によって生成されるディスプレイである。例えば、サイン４２２は着色光でよい。例えば、その色は、赤色、青色、緑色、および他の適切な色、ならびに着色光の色の陰影など、任意の数の様々な色から選択することができる。サインコントローラ４０２はサイン４２２に関する着色光を制御するように構成されている。サイン４２２に関して選択される着色光は、色がすでにディスプレイされている他のサインと重複しないように変更することができる。
【００４７】
別の説明的な例では、圧力検出器４０８は、座席データベース４２５の座席４１０に関する座席位置４２４にマッピングすることができる。具体的には、座席４１０に関する列４１２の識別因子は座席データベース４２５内に存在することができる。この例では、搭乗者が座席４１６を離れたことを圧力検出器４１４が示すときは、サインコントローラ４０２は圧力検出器４１４の識別因子から座席４１６の列４１８を識別することができる。圧力検出器４１４の識別因子は、圧力検出器４１４から送信される情報から、サインコントローラ４０２への圧力検出器４１４の物理的接続から、または何らかの他の適切な識別機構を用いて行うことができる。
【００４８】
サインコントローラ４０２により、光投影機４２０が列４１８に関する列番号をサイン４２２としてディスプレイすることができる。もちろん、一部の説明的な例では、サイン４２２を光投影機４２０に格納することができる。この例では、サインコントローラ４０２はサイン４２２を光投影機４２０に送信する必要はない。その代わりに、サインコントローラ４０２は光投影機４２０を作動させることができる。
【００４９】
別の説明的な例では、サインコントローラ４０２は、サイン４２２の着色光に加えてまたはその代わりに画像をディスプレイすることができる。例えば、サインコントローラ４０２は搭乗者データベース４２６にアクセスすることができる。搭乗者データベース４２６はこの説明的な例では搭乗者の情報４２８を含む。圧力検出器４１４が、搭乗者が座席４１６を離れたことを示すときは、サインコントローラ４０２は、搭乗者の情報４２８にアクセスして座席４１６に割り当てられた搭乗者を識別することができる。このようにして、サインコントローラ４０２は、座席４１６に割り当てられた搭乗者に対してカスタマイズしたサイン４２２を生成することができる。具体的には、サイン４２２は、座席に割り当てられた搭乗者または座席自体のうちの少なくとも１つに関する一意の識別子でよい。例えば、サイン４２２は搭乗者の名前でよい。別の例では、サイン４２２は、搭乗者によって認識できる動物、街、休暇中の所在地、または他の適切な情報など、搭乗者が指定するどんな情報でもよい。文字情報、図形、またはそれらの何らかの組み合わせを用いてその情報を、サイン４２２を形成するようにディスプレイことができる。
【００５０】
図３の座席位置特定システム３００および図４の座席位置特定システム４００の説明図は、図２にブロックの形態で示された座席位置特定システム２００に関する実装形態のいくつかの説明的な例として意味づけられているだけである。それら説明図は、座席位置特定システム２００を実装できる様式を限定するものではない。例えば、サインコントローラ４０２はコンピュータ以外の他の形態をとることができる。例えば、サインコントローラ４０２はロジックコントローラでよい。これらロジックコントローラはハードウェア回路である。圧力検出器４０８のうちの圧力検出器および光投影機４０６のうちの光投影機はそれぞれ、ロジックコントローラによって制御することができる。
【００５１】
別の説明的な例では、圧力検出器４０８以外にセンサシステム４０４内で他のタイプのセンサを用いることができる。例えば、アクティブ赤外線検出器を使用してもよい。アクティブ赤外線検出器は、通路の近くの列内の開口部を通して光線を投影するができる。搭乗者がその列内の座席を離れたかどうかを表示するために光線の中断を利用することができる。
【００５２】
別の説明的な例として、図３のライト３０４および図４の光投影機４０６によって投影される光は、座席の列の近くで通路の床以外の他の位置に投影することができる。例えば、ライト３０４は、座席３０８のヘッドレストの上部に配置することができる。一部の説明的な例では、光投影機４０６は、客室の天井にサイン４１９をディスプレイすることができる。
【００５３】
さらに別の説明的な例では、光を投影する光投影機以外の別のタイプのインジケータを用いることができる。例えば、サイン４１９は、電子ペーパ、ディスプレイデバイス、または何らかの他の適切なデバイスなどのデバイスを用いてディスプレイすることができる。
【００５４】
次に図５に移ると、例示的な実施形態による座席位置特定システムを有する客室の説明図が示されている。図示のように、図１の矢印５の方向に見た客室１２２の説明図が、この図に示されている。
【００５５】
この説明的な例では、客室１２２の図は、航空機１００の後部にある化粧室など、別の位置から自分の座席に戻る搭乗者が見ることができる図である。この説明的な例では、座席位置特定システム１２６はインジケータ５００を含む。図示のように、インジケータ５００は座席１２４の列５０２と関連付けられている。理解できるように、インジケータ５００はライト５０４の形態をとる。具体的には、ライト５０４は座席１２４の列５０２の端部５１０と関連付けられている。
【００５６】
ライト５０４は、この特定の例では通路５０８の床５０６を照らす。図示のように、ライト５０４は、白熱電球、発光ダイオード、または何らかの他の適切な光源でよい。
【００５７】
この説明的な例では、ライト５０４は、搭乗者が列５０２内の座席を離れるときに作動し通路５０８の床５０６を照らす。理解できるように、搭乗者は、座席位置特定システム１２６のライト５０４の助けで、より簡単に列５０２内の座席を見つけそこに戻ることができる。
【００５８】
次に図６を参照すると、例示的な実施形態による座席位置特定システムを有する客室の別の説明図が示されている。この説明的な例では、客室１２２の図は図５の矢印６の方向に見ている。この説明的な例では、ライト５０４は列５０２内の座席１２４のうちの座席６００と関連付けられて示されている。
【００５９】
次に図７に移ると、例示的な実施形態による座席位置特定システムを有する客室の別の視界の説明図が示されている。この説明的な例では、列５０２の図は図６の矢印７の方向に見ている。
【００６０】
床５０６は透視図で示されている。この図では、ライト５０４は、座席６００の側面７００と関連付けられて示されている。ライト５０４の位置は座席６００の底面７０２上にある。この配置は、ライト５０４が作動するときに通路５０８の床５０６を照明するようになされている。
【００６１】
次に図８を参照すると、例示的な実施形態による座席位置特定システムを有する客室の別の視界の説明図が示されている。この説明的な例では、客室１２２内の座席１２４の図は図１の矢印８の方向に見ている。
【００６２】
この説明的な例では、座席位置特定システム１２６のインジケータ８００は、座席１２４の列８０４内の座席８０２と関連付けられて示されている。図示のように、インジケータ８００は光投影機８０６の形態をとる。光投影機８０６は座席８０２の側面８０８と関連付けられている。光投影機８０６は、通路８１４の床８１２上にサイン８１０をディスプレイするように位置決めされている。
【００６３】
この特定の例では、サイン８１０は、列８０４内の座席に関する列番号および座席識別子のディスプレイである。サイン８１０のディスプレイにより、搭乗者が同じ座席に戻ることを簡単にすることができる。
【００６４】
図５のライト５０４としてのインジケータ８００および光投影機８０６としてのインジケータ８００の説明図はインジケータが搭乗者のための座席位置の表示を提供できる様式を限定するものではない。これら説明的な例で例示したものに加えてまたはその代わりに他のタイプのインジケータを用いてもよい。
【００６５】
例えば、ライト５０４は、発光ダイオードがそれぞれ異なる着色光で照明を提供する発光ダイオードの群でよい。特定の色は、搭乗者または座席位置特定システムのコントローラのうちの少なくとも１つによって選択することができる。別の説明的な例では、サイン８１０は、列番号および座席識別子以外に文字情報または図形を有することができる。例えば、搭乗者または座席位置特定システムの少なくとも１つによって画像を選択することができる。その画像は文字情報、図形、または他の情報を含むことができる。例えば、その画像は、車の画像、動物の画像、または何らかの他の画像でよい。さらに他の例では、サイン８１０は、他の座席を離れることがある他の搭乗者のためのディスプレイできる他のサインからサイン８１０を搭乗者が区別できるようにする動画または他の特徴を含むことができる。このようにして、座席の表示は、客室内の別のインジケータによって生成される別の表示とは異なるものとすることができる。
【００６６】
次に図９に移ると、例示的な実施形態による座席位置を表示するプロセスのフローチャートの説明図が示されている。図９に例示するプロセスは、図２の座席位置特定システム２００を用いて実装することができる。
【００６７】
プロセスは、客室内の座席位置特定システムを初期設定することで開始される（動作９００）。初期設定は、どの座席が搭乗者によって占有されているかを認識することを含むことができる。例えば、初期設定は、どの座席が搭乗者によって占有されているかを表示するデータを圧力センサから受信することを含むことができる。この初期設定は、航空機が滑走路上にあるとき、離陸時、または搭乗者が着席した後でかつ搭乗者が座席を離れることができる前の何らかの他の時間にあるときに行うことができる。
【００６８】
次いで、そのプロセスは、搭乗者が座席を離れるときに客室内の座席に関するインジケータを作動させる（動作９０２）。動作９０２では、プロセスは、搭乗者が座席を離れたときにそのことを検出することができる。この動作で作動されると、インジケータは座席の位置を表示する。言い換えると、このプロセスが、搭乗者が座席を離れたことの検出が行われるときに客室内の座席に関するインジケータを作動させる。次いで、そのプロセスは、搭乗者が座席に戻ったときにインジケータを停止させ（動作９０４）、次いで上記で説明した動作９０２に戻る。このプロセスは、座席位置特定システムが停止するまで継続してよい。
【００６９】
様々な図示の実施形態のフローチャートおよびブロック線図により、例示的な実施形態の装置および方法の何らかの可能な実装形態の構造、機能性、および動作を例示している。この点において、フローチャートまたはブロック線図のブロックはそれぞれ、モジュール、セグメント、機能、および／または動作もしくはステップの一部分を表すことができる。例えば、ブロックのうちの１つまたは複数を、プログラムコードとして、ハードウェアに、またはプログラムコードとハードウェアとの組み合わせで実装することができる。ハードウェアに実装されるときは、そのハードウェアは、例えば、フローチャートまたはブロック線図の１つまたは複数の動作を実行するように製造または構成された集積回路の形態をとることができる。プログラムコードとハードウェアの組み合わせとして実装されるときは、その実装形態はファームウェアの形態をとることができる。
【００７０】
例示的な実施形態の一部の代替の実装形態では、ブロック内に記載された１つまたは複数の機能は、図に記載された順序とは異なる順序で行われてよい。例えば、場合によっては、連続して示す２つのブロックは、関係のある機能性に応じて、事実上同時に実行されてもよく、場合によっては逆の順序で実行されてもよい。さらに、フローチャートまたはブロック線図の例示のブロックに加えて他のブロックを追加することができる。
【００７１】
本開示の例示的な実施形態は、図１０に示す航空機の製造およびサービス方法１０００および図１１に示す航空機１１００に照らして説明することができる。まず図１０に移ると、例示的な実施形態による航空機の製造およびサービス方法の説明図が示されている。試作中に、航空機の製造およびサービス方法１０００は、図１１の航空機１１００の仕様および設計１００２ならびに材料の調達１００４を含むことができる。
【００７２】
生産中は、図１１の航空機１１００の構成要素およびサブアセンブリの製造１００６ならびにシステムインテグレーション１００８が行われる。その後、図１１の航空機１１００は、サービス１０１２を始めるために認証および搬送１０１０を経ることができる。サービス１０１２の間には顧客により、図１１の航空機１１００は、通常のメンテナンスおよびサービス１０１４が予定されており、それには修正、再構成、改修、および他のメンテナンスまたはサービスを含むことができる。
【００７３】
航空機の製造およびサービス方法１０００のプロセスはそれぞれ、システムインテグレータ、第三者、および／またはオペレータによって実行または実現することができる。これら例では、オペレータは顧客でよい。説明するために、システムインテグレータには、限定するものではないが、任意の数の航空機製造業者および主システム下請け業者が含まれてよく、第三者には、限定するものではないが、任意の数のベンダ、下請け業者、およびサプライヤが含まれてよく、オペレータは、航空会社、リース会社、軍隊、サービス組織などでよい。
【００７４】
次に図１１を参照すると、例示的な実施形態を実装できる航空機の説明図が示されている。この例では、航空機１１００が、図１０の航空機の製造およびサービス方法１０００によって生産され、システム１１０４および内装１１０６を有する機体１１０２を含むことができる。システム１１０４の例には、推進システム１１０８、電気システム１１１０、油圧システム１１１２、および環境システム１１１４のうちの１つまたは複数が含まれる。任意の数の他のシステムを含むこともできる。航空宇宙の例が示されているが、様々な例示的な実施形態を、自動車産業など、他の産業に応用することができる。
【００７５】
本明細書で具体化された装置および方法は、図１０の航空機の製造およびサービス方法１０００の段階のうちの少なくとも１つの段階の間に採用することができる。例えば、システムインテグレーション１００８の間に座席位置特定システムを実装することができる。他の説明的な例では、異なる例示的な実施形態の座席位置特定システムを航空機１１００のサービス１０１２の間に使用することができる。さらに、改修、アップグレード、メンテナンス、ならびにメンテナンスおよびサービス１０１４のうちの他の動作の間に、例示的な実施形態を航空機１１００に実装することもできる。
【００７６】
したがって、様々な例示的な実施形態により、搭乗者に座席位置を表示する方法および装置を提供する。座席位置の表示は、搭乗者が座席を離れるときに作動することができる。インジケータが作動すると、搭乗者がより簡単に自分の座席を見つけて戻ることができる。座席位置特定システムおよび１つまたは複数の説明的な例により、搭乗者が、自分の座席を迅速に見つけることができないかまたは客室内の間違った座席に座ってしまう心配が軽減されたより快適な飛行経験を有することができる。
【００７７】
様々な例示的な実施形態の説明を例示および説明するために提示しており、その説明は網羅的なものではなく、開示した形態の実施形態に限定するものではない。多数の変更形態および変形形態が当業者には明らかであろう。さらに、様々な例示的な実施形態は他の例示的な実施形態と比べて異なる特徴部を提供することができる。選択した１つまたは複数の実施形態は、実施形態の原理、実践上の用途を最良に説明するために、また企図される特定の用途に適した様々な変更形態を有する様々な実施形態に関する本開示を当業者以外の人が理解できるように、選択および説明されている。
【００７８】
さらに、本開示は以下の項目による実施形態を含む。
【００７９】
項目１
客室内に位置決めされ作動時に座席に関する座席位置の表示を生成するように構成されたインジケータと、インジケータを作動させるように構成されたコントローラとを備える装置。
【００８０】
項目２
搭乗者が座席を離れると、コントローラがインジケータを作動させる、項目１に記載の装置。
【００８１】
項目３
インジケータが、座席または座席の列のうちの少なくとも１つと関連付けられている、項目１に記載の装置。
【００８２】
項目４
インジケータが、客室の床上にサインをディスプレイするように構成されている、項目１に記載の装置。
【００８３】
項目５
サインが、座席に割り当てられた搭乗者に関する一意の識別子である、項目４に記載の装置。
【００８４】
項目６
一意の識別子が、列番号、光、着色光、名前、動物、街、または休暇中の所在地のうちの少なくとも１つを含む、項目５に記載の装置。
【００８５】
項目７
インジケータが座席と関連付けられている、項目１に記載の装置。
【００８６】
項目８
座席の表示が、客室内の別のインジケータによって生成される別の表示とは異なる、項目１に記載の装置。
【００８７】
項目９
インジケータが、白熱ライト、発光ダイオード、光投影機、表示画面、デジタルサイン、電子ペーパ、または電子インクのうちの少なくとも１つから選択される、項目１に記載の装置。
【００８８】
項目１０
コントローラが、座席と関連付けられたスイッチまたは圧力センサのうちの少なくとも１つから選択される、項目１に記載の装置。
【００８９】
項目１１
客室が、航空機、水上艦、宇宙船、列車、またはバスのうちの１つから選択される輸送手段内に配置される、項目１に記載の装置。
【００９０】
項目１２
プラットフォームキャビン内の座席の列と、座席の列と関連付けられたインジケータとを備える座席位置特定システムであって、インジケータのうちのあるインジケータが、搭乗者が座席を離れることで作動するときに、プラットフォームキャビン内の座席の列のその座席に関する座席位置を表示するように構成される、座席位置特定システム
【００９１】
項目１３
インジケータが、プラットフォームキャビンの床上にサインを投影するように構成されている、項目１２に記載の座席位置特定システム。
【００９２】
項目１４
サインが、座席に割り当てられた搭乗者に関する一意の識別子である、項目１３に記載の座席位置特定システム。
【００９３】
項目１５
一意の識別子が、列番号、光、着色光、名前、動物、街、または休暇中の所在地のうちの少なくとも１つを含む、項目１４に記載の座席位置特定システム。
【００９４】
項目１６
前記座席位置特定システムが、航空機、水上艦、宇宙船、列車、バス、可動プラットフォーム、静止プラットフォーム、陸上構造物、水上構造物、宇宙構造物、映画館、講堂、スタジアム、および建築物のうちの１つから選択されるプラットフォーム内に配置される、項目１２に記載の座席位置特定システム。
【００９５】
項目１７
座席位置を表示する方法であって、搭乗者が座席を離れるときに客室内の座席に関するインジケータを作動させることを含み、作動時にインジケータが座席の位置を表示する、方法。
【００９６】
項目１８
作動させるステップが、搭乗者が座席を離れるときにそのことを検出することと、搭乗者が座席を離れたことが検出されたときに客室内の座席に関するインジケータを作動させることとを含む、項目１７に記載の方法。
【００９７】
項目１９
作動させるステップが、スイッチのポジションを変更することを含む、項目１７に記載の方法。
【００９８】
項目２０
インジケータが、光、着色光、またはサインのうちの少なくとも１つを放射する、項目１７に記載の方法。
【符号の説明】
【００９９】
１００  航空機
１０２、１０４  翼
１０６  胴体
１０８、１１０  エンジン
１１２  機首部
１１４  尾部
１１６、１１８  水平安定板
１２０  垂直安定板
１２２  客室
１２４、６００、８０２  座席
１２６  座席位置特定システム
５００、８００  インジケータ
５０２  列
５０４  ライト
５０６  床
５０８  通路
５１０  端部
７００、８０８  側面
７０２  底面
８０４  列
８０６  光投影機
８１０  サイン
８１２  床
１０００  航空機の製造およびサービス方法
【図１】
2014175011.tif 000003
【図２】
2014175011.tif 000004
【図３】
2014175011.tif 000005
【図４】
2014175011.tif 000006
【図５】
2014175011.tif 000007
【図６】
2014175011.tif 000008
【図７】
2014175011.tif 000009
【図８】
2014175011.tif 000010
【図９】
2014175011.tif 000011
【図１０】
2014175011.tif 000012
【図１１】
2014175011.tif 000013
【外国語明細書】
2014175011000001.pdf
2014175011000002.pdf
2014175011000003.pdf
2014175011000004.pdf